(57)【要約】【課題】データ量を抑えつつ視認性の高い動画像の表示を可能とする。【解決手段】３つの光変調素子で変調された各色光を合成して第１画像光として射出する第１画像形成手段１００と、３つの光変調素子で変調された各色光を合成して第２画像光として射出する第２画像形成手段２００と、前記第１及び第２画像光を合成する偏光合成光学系３００と、合成された画像光を投射する投射光学系４００とを有するプロジェクタであって、第１及び第２画像形成手段に設けられる合計６つの光変調素子うち、４つの光変調素子が緑色光源Ｇ１〜Ｇ４に対応する光変調素子、２つの光変調素子が赤色光源Ｒ及び青色光源Ｂに対応する光変調素子であって、前記緑色光に対応する４つの光変調素子で変調された各色光が前記画像データの各フレーム内において所定時間だけずれて順次射出されるように光源及び前記緑色光に対応する４つの光変調素子を制御する。【選択図】図１
2009162988.tif 000002
【特許請求の範囲】
【請求項１】
光源からの色光を画像データに基づいて変調する３つの光変調素子を有し、当該３つの
光変調素子で変調された各色光を合成して第１画像光として射出する第１画像形成手段と
、
光源からの色光を画像データに基づいて変調する３つの光変調素子を有し、当該３つの
光変調素子で変調された各色光を合成して第２画像光として射出する第２画像形成手段と
、
前記第１画像形成手段及び第２画像形成手段から射出される前記第１画像光及び第２画
像光を合成する偏光合成光学系と、
前記偏光合成光学系で合成された画像光を投射面に投射する投射光学系と、
前記第１画像形成手段及び第２画像形成手段に設けられる合計６つの光変調素子を制御
する機能及び前記光源を制御する機能を有する画像表示制御部と、
を有するプロジェクタであって、
前記６つの光変調素子うち、４つの光変調素子が緑色光に対応する光変調素子、残りの
２つの光変調素子が赤色光及び青色光に対応する光変調素子であり、
前記画像表示制御部は、
前記緑色光に対応する４つの光変調素子で変調された各色光が前記画像データの各フレ
ーム内において所定時間だけずれて順次射出されるように前記光源及び前記緑色光に対応
する４つの光変調素子を制御することを特徴とするプロジェクタ。
【請求項２】
請求項１に記載のプロジェクタにおいて、
前記所定時間は、前記画像データの各フレームに対応する時間の１／４の時間であるこ
とを特徴とするプロジェクタ。
【請求項３】
請求項１または２に記載のプロジェクタにおいて、
前記光源は、前記赤色光、緑色光及び青色光を発光する固体光源であることを特徴とす
るプロジェクタ。
【請求項４】
請求項１〜３のいずれかに記載のプロジェクタにおいて、
前記緑色光に対応する４つの光変調素子を第１〜第４光変調素子としたとき、前記第１
画像形成手段は、前記第１〜第４光変調素子のうちの第１及び第２光変調素子と赤色光に
対応する光変調素子で構成され、前記第２画像形成手段は、第３及び第４光変調素子と青
色光に対応する光変調素子で構成されることを特徴とするプロジェクタ。
【請求項５】
請求項４に記載のプロジェクタにおいて、
前記緑色光を、青色光に近い側の波長帯域を有する第１緑色光と黄色光に近い側の波長
帯域を有する第２緑色光との２種類の緑色光として使用し、前記第１画像形成手段の前記
第１光変調素子と前記第２画像形成手段の前記第３光変調素子には前記第１緑色光を与え
、前記第１画像形成手段の前記第２光変調素子と前記第２画像形成手段の前記第４光変調
素子には前記第２緑色光を与えることを特徴とするプロジェクタ。
【請求項６】
請求項５に記載のプロジェクタにおいて、
前記第１緑色光及び第２緑色光は、前記画像データの各フレームに対応する時間内にお
いて、前記第１緑色光と第２緑色光とが重複する時間を有して前記第１〜第４光変調素子
に時間をずらして順次与えられることを特徴とするプロジェクタ。
【請求項７】
請求項５または６に記載のプロジェクタにおいて、
前記画像表示制御部は、前記第１緑色光または第２緑色光が発光を開始する時間より前
に前記第１〜第４光変調素が駆動を開始するように前記前記第１〜第４光変調素子を制御
することを特徴とするプロジェクタ。
【請求項８】
請求項１〜３のいずれかに記載のプロジェクタにおいて、
前記緑色光に対応する４つの光変調素子を第１〜第４光変調素子としたとき、前記第１
画像形成手段は、前記第１〜第４光変調素子のうちの第１〜第３光変調素子で構成され、
第２画像形成手段は、第４光変調素子と、前記赤色光に対応する光変調素子と、前記青色
光に対応する光変調素子とで構成されることを特徴とするプロジェクタ。
【請求項９】
請求項８に記載のプロジェクタにおいて、
前記緑色光は、前記投射すべき画像データの各フレームに対応する時間内において、時
間をずらして重複することなく前記第１〜第４光変調素子に順次与えられることを特徴と
するプロジェクタ。
【請求項１０】
請求項８または９に記載のプロジェクタにおいて、
前記画像表示制御部は、前記緑色光が発光を開始する時間より前に前記第１〜第４光変
調素子が駆動を開始するように前記前記第１〜第４光変調素子を制御することを特徴とす
るプロジェクタ。
【請求項１１】
請求項１〜１０のいずれかに記載のプロジェクタにおいて、
前記光変調素子は、液晶を用いた光変調素子であることを特徴とするプロジェクタ。
【請求項１２】
光源からの色光を画像データに基づいて変調する３つの光変調素子を有し、当該３つの
光変調素子で変調された各色光を第１画像光として射出する第１画像形成手段と、光源か
らの色光を画像データに基づいて変調する３つの光変調素子を有し、当該３つの光変調素
子で変調された各色光を第２画像光として射出する第２画像形成手段と、前記第１画像形
成手段及び第２画像形成手段から射出される前記第１画像光及び第２画像光を合成する偏
光合成光学系と、前記偏光合成光学系で合成された画像光を投射面に投射する投射光学系
と、前記第１画像形成手段及び第２画像形成手段に設けられる合計６つの光変調素子を制
御する機能及び前記光源を制御する機能を有する画像表示制御部とを有するプロジェクタ
における画像表示方法であって、
前記６つの光変調素子うち、４つの光変調素子が緑色光に対応する光変調素子、残りの
２つの光変調素子が赤色光及び青色光に対応する光変調素子として用いられ、
前記画像表示制御部は、
前記緑色光に対応する４つの光変調素子で変調された各色光が前記画像データの各フレ
ーム内において所定時間だけずれて順次射出されるように前記光源及び前記緑色光に対応
する４つの光変調素子を制御することを特徴とするプロジェクタにおける画像表示方法。
【発明の詳細な説明】
【技術分野】
【０００１】
本発明はプロジェクタ及びプロジェクタにおける画像表示方法に関する。
【背景技術】
【０００２】
プロジェクタは大画面画像の表示が容易に行えることからプレゼンテーション用や映画
などの投射装置として広い分野で使用されている。一方、最近では、画像入力機器として
のデジタルカメラなどは、ますます高解像度化され高精細な画像の取得が可能となってい
る。このような高解像度の画像入力機器によって取得された画像を表示する画像出力機器
としてのプロジェクタは、デジタルカメラなどに比べて解像度が低いという課題もある。
【０００３】
これを解決するための手段として、２つのプロジェクタを用いて同一画像を１つのスク
リーン（投射面）に、例えば、１／２画素ずつ画素ずらしを行ってスタック投射する方法
が知られている。このようにしてスタック投射された画像光は輝度がほぼ２倍となり、ま
た、解像度も投射画像の縦方向及び横方向においてそれぞれ２倍となるので、明るく高精
細な画像を表示させることができる。
【０００４】
しかしながら、上記のようなスタック投射を行う場合、２つのプロジェクタからの投射
画像を画素ずらしした状態で正しく重畳させることは容易ではない。２つのプロジェクタ
からの画像光が正しく重畳されないと、投射画像の画像品質が低下する。
【０００５】
このような問題を解決することが可能なプロジェクタとして、２系統の画像形成手段と
１つの投射光学系とを有するプロジェクタが提案されている。２系統の画像形成手段と１
つの投射光学系とを有するプロジェクタは、２系統の画像形成手段（第１画像形成手段及
び第２画像形成手段という）から射出されたそれぞれの画像光を合成する偏光合成光学系
と、偏光合成光学系で合成された画像光を投射面としてのスクリーンに投射する投射光学
系とを有する。
【０００６】
このようなプロジェクタにおいて、第１画像形成手段から射出される画像光と第２画像
形成手段から射出される画像光とが１／２画素ずつすれるように、予め設定してその状態
で固定しておけば、高精度な画素ずらしが可能となる。
【０００７】
また、光変調素子として液晶を用いたプロジェクタは、液晶の応答速度などにやや問題
があり動画の視認性という点で改善の余地がある。動画の視認性を高めるための技術とし
ては、例えば、表示すべき画像データから中間画像を生成して、高フレームレートで画像
を表示させることにより、動画の視認性を向上させる技術が提案されている（例えば、特
許文献１参照）。
【０００８】
【特許文献１】特開２００３−６９９６１号公報
【発明の開示】
【発明が解決しようとする課題】
【０００９】
上述した特許文献１に開示された技術（従来技術という）は、中間画像を生成すること
によって高フレームレートの画像データを生成し、それによって、滑らかな動画像の表示
を可能とする技術である。
【００１０】
しかしながら、中間画像を生成する際にＲＧＢそれぞれの画像データに対する中間画像
を生成する場合、ＲＧＢそれぞれの画像データについて中間画像の生成を行う必要があり
、中間画像を生成するための演算量がきわめて多く、また、データ量が膨大になるといっ
た問題がある。
【００１１】
そこで本発明は、動画像のデータ量を抑えつつ、視認性の高い動画像の表示を可能とす
るプロジェクタ及びプロジェクタにおける画像表示方法を提供することを目的とする。
【課題を解決するための手段】
【００１２】
本発明のプロジェクタは、光源からの色光を画像データに基づいて変調する３つの光変
調素子を有し、当該３つの光変調素子で変調された各色光を合成して第１画像光として射
出する第１画像形成手段と、光源からの色光を画像データに基づいて変調する３つの光変
調素子を有し、当該３つの光変調素子で変調された各色光を合成して第２画像光として射
出する第２画像形成手段と、前記第１画像形成手段及び第２画像形成手段から射出される
前記第１画像光及び第２画像光を合成する偏光合成光学系と、前記偏光合成光学系で合成
された画像光を投射面に投射する投射光学系と、前記第１画像形成手段及び第２画像形成
手段に設けられる合計６つの光変調素子を制御する機能及び前記光源を制御する機能を有
する画像表示制御部とを有するプロジェクタであって、前記６つの光変調素子うち、４つ
の光変調素子が緑色光に対応する光変調素子、残りの２つの光変調素子が赤色光及び青色
光に対応する光変調素子であり、前記画像表示制御部は、前記緑色光に対応する４つの光
変調素子で変調された各色光が前記画像データの各フレーム内において所定時間だけずれ
て順次射出されるように前記光源及び前記緑色光に対応する４つの光変調素子を制御する
ことを特徴とする。
【００１３】
本発明のプロジェクタは、２系統の画像形成手段（第１画像形成手段及び第２画像形成
手段）と１つの投射光学系とを有するプロジェクタであって、このような構成を有するプ
ロジェクタにおいて、６個の光変調素子うち、４つの光変調素子を緑色光に対応する光変
調素子として用い、残りの２つの光変調素子を赤色光及び青色光に対応する光変調素子と
して用いるものである。そして、４つの光変調素子で変調された各色光が画像データの各
フレーム内において所定時間だけずれて射出されるように前記光源及び前記４つの光変調
素子を制御するようにしている。このような制御を行うことにより、人間の目に敏感な緑
色に対応する画像データのフレームレートを高くすることができ、視認性の高い動画像の
表示を可能とする。
【００１４】
また、緑色光に対応する４つの光変調素子のうちの３つの光変調素子に与える画像デー
は、各フレームにおいて、当該フレームの画像データと次のフレームの画像データとから
中間画像をそれぞれ生成して、生成した中間画像を与えることが好ましい。なお、中間画
像の生成は、動きベクトルに基づいて生成するなど、一般的に行われている各種の中間画
像生成技術を採用することができる。また、中間画像を生成する処理は、緑色について行
えばよいので、ＲＧＢそれぞれについて中間画像を生成する場合に比べて、演算量を大幅
に削減することができる。
【００１５】
本発明のプロジェクタにおいて、前記所定時間は、前記画像データの各フレームに対応
する時間の１／４の時間であることが好ましい。
このように、緑色光に対応する４つの光変調素子で変調された各色光が画像データの各
フレーム内において１／４フレームに対応する時間だけずれるように設定することにより
、緑色光に対応する画像データのフレームレートを赤色光および青色光に対応する画像デ
ータの４倍とすることができる。このように、人間の目に敏感な緑色光に対応する画像デ
ータのフレームレートを高くすることにより、視認性の高い動画像の表示が可能となる。
【００１６】
本発明のプロジェクタにおいて、前記光源は、前記赤色光、緑色光及び青色光を発光す
る固体光源であることが好ましい。
光源としてＲＧＢの各色を発光する固体光源（例えばＬＥＤなど）を用いることにより
、光源の点灯及び消灯の切り替え動作を素早く行うことができるので、本発明を容易に実
現することができる。また、ダイクロイックミラーやリレーレンズなどを不要とすること
ができ、光学系の構成を簡素化することができるといった効果も得られる。
【００１７】
本発明のプロジェクタにおいて、前記緑色光に対応する４つの光変調素子を第１〜第４
光変調素子としたとき、前記第１画像形成手段は、前記第１〜第４光変調素子のうちの第
１及び第２光変調素子と赤色光に対応する光変調素子で構成され、前記第２画像形成手段
は、第３及び第４光変調素子と青色光に対応する光変調素子で構成されることが好ましい
。
これは、緑色光に対応する４つの光変調素子を第１画像形成手段及び第２画像形成手段
のそれぞれに２つずつ割り当てるような構成としたものであり、このような構成とするこ
とにより、本発明のプロジェクタを実現することができる。
【００１８】
本発明のプロジェクタにおいて、前記緑色光を、青色光に近い側の波長帯域を有する第
１緑色光と黄色光に近い側の波長帯域を有する第２緑色光との２種類の緑色光として使用
し、前記第１画像形成手段の前記第１光変調素子と前記第２画像形成手段の前記第３光変
調素子には前記第１緑色光を与え、前記第１画像形成手段の前記第２光変調素子と前記第
２画像形成手段の前記第４光変調素子には前記第２緑色光を与えることが好ましい。
【００１９】
このように、緑色光として波長帯域の異なる２種類の緑色光を使用することにより、合
成光学系として一般的なクロスダイクロイックプリズムを使用することができる。なお、
緑色光の波長帯域は、約５００ｎｍ〜５６５ｎｍであって、このような波長帯域のうちの
５００ｎｍ〜５３２ｎｍの波長帯域の緑色光を第１緑色光、５３３ｎｍ〜５６５ｎｍの波
長帯域の緑色光を第２緑色光とすることが一例として挙げられる。
【００２０】
本発明のプロジェクタにおいて、前記第１緑色光及び第２緑色光は、前記画像データの
各フレームに対応する時間内において、前記第１緑色光と第２緑色光とが重複する時間を
有して前記第１〜第４光変調素子に時間をずらして順次与えられることが好ましい。
【００２１】
このように、第１緑色光を発光する緑色光源と第２緑色光を発光する緑色光源とを同時
に点灯させるのは、人の目に緑色が２種類の緑色として視認されてしまうのを防止するた
めである。すなわち、緑色光を２種類の緑色光として使用することにより、合成光学系と
して一般的なクロスダイクロイックプリズムの使用が可能となる反面、人の目に緑色が２
種類の緑色として視認されてしまう可能性があるので、それを防止するために、第１緑色
光を発光する緑色光源と第２緑色光を発光する緑色光源を同時に点灯させるようにしてい
る。また、この場合、緑色光に対応する２つの光変調素子からの画像が重複して投射され
る時間が存在するので、緑色を明るく表示することができ、明るさを重視する画像に好適
なものとなる。
【００２２】
本発明のプロジェクタにおいて、前記画像表示制御部は、前記第１緑色光または第２緑
色光が発光を開始する時間より前に前記第１〜第４光変調素が駆動を開始するように前記
前記第１〜第４光変調素子を制御することが好ましい。
これは、光変調素子が液晶を用いた光変調素子である場合、液晶の安定動作期間に緑色
光を光変調素子に与えることができるようにするためである。このように、緑色光を光変
調素子の安定動作期間に与えることによって、画質を向上させることができる。
【００２３】
本発明のプロジェクタにおいて、前記緑色光に対応する４つの光変調素子を第１〜第４
光変調素子としたとき、前記第１画像形成手段は、前記第１〜第４光変調素子のうちの第
１〜第３光変調素子で構成され、第２画像形成手段は、第４光変調素子と、前記赤色光に
対応する光変調素子と、前記青色光に対応する光変調素子とで構成されることもまた好ま
しい。
これは、緑色光に対応する４つの光変調素子のうち３つの光変調素子を第１画像形成手
段に割り当て、残りの１つの光変調素子を第２画像形成手段に割り当てるような構成とし
たものであり、このような構成とすることによっても本発明のプロジェクタを実現するこ
とができる。なお、この場合、各緑色光は、約５００ｎｍ〜５６５ｎｍの波長帯域を有す
る単色の緑色光を使用する。
【００２４】
本発明のプロジェクタにおいて、前記緑色光は、前記投射すべき画像データの各フレー
ムに対応する時間内において、時間をずらして重複することなく前記第１〜第４光変調素
子に順次与えられることが好ましい。
これは、各緑色光を約５００ｎｍ〜５６５ｎｍの波長帯域を有する単色の緑色光とする
ことにより可能となるものである。また、各緑色光に対応する画像が重複しないで表示さ
れるので、高画質な画像を表示させることができる。
【００２５】
本発明のプロジェクタにおいて、前記画像表示制御部は、前記緑色光が発光を開始する
時間より前に前記第１〜第４光変調素子が駆動を開始するように前記前記第１〜第４光変
調素子を制御することが好ましい。
これも前述したように、光変調素子が液晶を用いた光変調素子である場合、液晶の安定
動作期間に緑色光を光変調素子に与えることができるようにするためである。このように
、緑色光を光変調素子の安定動作期間に与えることによって、画質を向上させることがで
きる。
【００２６】
本発明のプロジェクタにおいて、前記光変調素子は、液晶による光変調素子であること
が好ましい。
本発明のプロジェクタは、液晶を用いた光変調素子（液晶パネル）を用いた場合に、よ
り顕著な効果が得られる。
【００２７】
本発明のプロジェクタにおける画像表示方法は、光源からの色光を画像データに基づい
て変調する３つの光変調素子を有し、当該３つの光変調素子で変調された各色光を第１画
像光として射出する第１画像形成手段と、光源からの色光を画像データに基づいて変調す
る３つの光変調素子を有し、当該３つの光変調素子で変調された各色光を第２画像光とし
て射出する第２画像形成手段と、前記第１画像形成手段及び第２画像形成手段から射出さ
れる前記第１画像光及び第２画像光を合成する偏光合成光学系と、前記偏光合成光学系で
合成された画像光を投射面に投射する投射光学系と、前記第１画像形成手段及び第２画像
形成手段に設けられる合計６つの光変調素子を制御する機能及び前記光源を制御する機能
を有する画像表示制御部とを有するプロジェクタにおける画像表示方法であって、前記６
つの光変調素子うち、４つの光変調素子が緑色光に対応する光変調素子、残りの２つの光
変調素子が赤色光及び青色光に対応する光変調素子として用いられ、前記画像表示制御部
は、前記緑色光に対応する４つの光変調素子で変調された各色光が前記画像データの各フ
レーム内において所定時間だけずれて順次射出されるように前記光源及び前記緑色光に対
応する４つの光変調素子を制御することを特徴とする。
【００２８】
２系統の画像形成手段（第１画像形成手段及び第２画像形成手段）と１つの投射光学系
とを有するプロジェクタにおいて、本発明のプロジェクタにおける画像表示方法を採用す
ることにより、前記本発明のプロジェクタを実現することができ、本発明のプロジェクタ
において述べた効果を得ることができる。なお、本発明のプロジェクタにおける画像表示
方法においても、前記本発明のプロジェクタと同様の特徴を有することが好ましい。
【発明を実施するための最良の形態】
【００２９】
以下、本発明の実施形態について説明する。
[実施形態１]
図１は実施形態１に係るプロジェクタの光学的な構成を模式的に示す図である。実施形
態１に係るプロジェクタは、２系統の画像形成手段（画像形成ユニットという）と１つの
投射光学系とを有するプロジェクタであって、図１に示すように、２系統の画像形成ユニ
ット１００，２００（第１画像形成ユニット１００、第２画像形成ユニット２００という
）と、第１画像形成ユニット１００及び第２画像形成ユニット２００から射出されたそれ
ぞれの画像光（第１画像光、第２画像光という）を合成する偏光合成光学系としての偏光
合成プリズム３００と、偏光合成プリズム３００で合成された画像光を投射面としてのス
クリーンＳＣＲに投射する投射光学系４００とを有する。
【００３０】
第１画像形成ユニット１００は、光源装置として第１〜第３光源装置１１０〜１３０を
有し、第２画像形成ユニット２００は、光源装置として第４〜第６光源装置２１０〜２３
０を有している。第１〜第３光源装置１１０〜１３０及び第４〜第６光源装置２１０〜２
３０は、光源として固体光源（ＬＥＤとする）が用いられる。
【００３１】
第１画像形成ユニット１００における第１光源装置１１０は、赤色光を発光する複数の
赤色ＬＥＤで構成される赤色光源Ｒと、赤色光源Ｒを構成する複数の赤色ＬＥＤに対応し
て設けられる複数の集光レンズ１１１と、ロッドインテグレータ１１２と、ロッドインテ
グレータ１１２の出力側に設けられる集光レンズ１１３とを有している。
【００３２】
また、第２光源装置１２０は、緑色光を発光する複数の緑色ＬＥＤで構成される第１緑
色光源Ｇ１と、第１緑色光源Ｇ１を構成する複数の緑色ＬＥＤに対応して設けられる複数
の集光レンズ１２１と、ロッドインテグレータ１２２と、ロッドインテグレータ１２２の
出力側に設けられる集光レンズ１２３とを有している。
【００３３】
また、第３光源装置１３０は、緑色光を発光する複数の緑色ＬＥＤで構成される第２緑
色光源Ｇ２と、第２緑色光源Ｇ２を構成する複数の緑色ＬＥＤに対応して設けられる複数
の集光レンズ１３１と、ロッドインテグレータ１３２と、ロッドインテグレータ１３２の
出力側に設けられる集光レンズ１３３とを有している。
【００３４】
また、第１画像形成ユニット１００は、これら第１〜第３光源装置１１０〜１３０に対
応する光変調素子１５０Ｒ，１５０Ｇ１，１５０Ｇ２と、光変調素子１５０Ｒ、１５０Ｇ
１，１５０Ｇ２で変調された各色光を合成する合成光学系１６０をさらに有している。こ
の合成光学系１６０は、クロスダイクロイックプリズムが用いられ、光変調素子１５０Ｒ
で変調された赤色光を反射し、光変調素子１５０Ｇ１で変調された緑色光を透過させ、光
変調素子１５０Ｇ２で変調された緑色光を反射させて、これら各色光を合成する機能を有
している。
【００３５】
また、第２画像形成ユニット２００における第４光源装置２１０は、青色光を発光する
複数の青色ＬＥＤで構成される青色光源Ｂと、青色光源Ｂを構成する複数の青色ＬＥＤに
対応して設けられる複数の集光レンズ２１１と、ロッドインテグレータ２１２と、ロッド
インテグレータ２１２の出力側に設けられる集光レンズ２１３とを有している。
【００３６】
また、第５光源装置２２０は、緑色光を発光する複数の緑色ＬＥＤで構成される第３緑
色光源Ｇ３と、第３緑色光源Ｇ３を構成する複数の緑色ＬＥＤに対応して設けられる複数
の集光レンズ２２１と、ロッドインテグレータ２２２と、ロッドインテグレータ２２２の
出力側に設けられる集光レンズ２２３とを有している。
【００３７】
また、第６光源装置２３０は、緑色光を発光する複数の緑色ＬＥＤで構成される第４緑
色光源Ｇ４と、第４緑色光源Ｇ４を構成する複数の緑色ＬＥＤに対応して設けられる複数
の集光レンズ２３１と、ロッドインテグレータ２３２と、ロッドインテグレータ２３２の
出力側に設けられる集光レンズ２３３とを有している。
【００３８】
また、第２画像形成ユニット２００は、これら第４〜第６光源装置２１０〜２３０に対
応する光変調素子２５０Ｂ，２５０Ｇ３，２５０Ｇ４と、光変調素子２５０Ｂ、２５０Ｇ
３，２５０Ｇ４で変調された各色光を合成する合成光学系２６０をさらに有している。こ
の合成光学系２６０は、クロスダイクロイックプリズムが用いられ、光変調素子２５０Ｂ
で変調された青色光を反射し、光変調素子２５０Ｇ３で変調された緑色光を反射させ、光
変調素子２５０Ｇ４で変調された緑色光を透過させて、これら各色光を合成する機能を有
している。
【００３９】
なお、図１においては、インテグレータとしてロッドインテグレータを用いた場合を例
示したが、レンズインテグレータであってもよい。また、光変調素子１５０Ｒ，１５０Ｇ
１，１５０Ｇ２及び光変調素子２５０Ｂ，２５０Ｇ３，２５０Ｇ４は、液晶を用いた光変
調素子（液晶パネル）であるとする。
【００４０】
ところで、緑色光の波長帯域は、約５００ｎｍ〜５６５ｎｍであるが、実施形態１に係
るプロジェクタにおいては、約５００ｎｍ〜５６５ｎｍの波長帯域を有する緑色光を、青
色光に近い側の波長帯域（５００ｎｍ〜５３２ｎｍの波長帯域）を有する緑色光（第１緑
色光という）と黄色光に近い側の波長帯域（５３３ｎｍ〜５６５ｎｍの波長帯域）の緑色
光（第２緑色光という）の２種類の緑色光として使用する。
【００４１】
このように、緑色光を第１緑色光及び第２緑色光の２種類の緑色光として使用すること
によって、第１画像形成ユニット１００の合成光学系１６０及び第２画像形成ユニット２
００の合成光学系２６０は、一般的なクロスダイクロイックプリズムを使用することがで
きる。
【００４２】
実施形態１に係るプロジェクタにおいては、第１画像形成ユニット１００の光変調素子
１５０Ｇ１と第２画像形成ユニット２００の光変調素子２５０Ｇ３には、５００ｎｍ〜５
３２ｎｍの波長帯域を有する第１緑色光が与えられ、第１画像形成ユニット１００の光変
調素子１５０Ｇ２と第２画像形成ユニット２００の光変調素子２５０Ｇ４には、５３３ｎ
ｍ〜５６５ｎｍの波長帯域を有する第２緑色光が与えられるように設定されているものと
する。
【００４３】
図２は実施形態１に係るプロジェクタの機能を説明するための構成図である。実施形態
１に係るプロジェクタは、図２に示すように、表示すべき画像に対応する画像データを入
力する画像データ入力部６１０と、ユーザの指示や設定など各種のインタフェース信号（
Ｉ／Ｆ信号）の入力が可能なＩ／Ｆ信号入力部６２０と、表示すべき画像データなど投射
処理を行うに必要な各種のデータを記憶するデータ記憶部６３０と、補正処理などを行う
ための各種パラメータを記憶するパラメータ記憶部６４０と、各光変調素子に与える画像
データ生成や補正処理を行う機能、さらには、第１画像形成手ユニット１００及び第２画
像形成ユニット２００に設けられる合計６つの光変調素子を制御する機能及び各光源（赤
色光源Ｒ、青色光源Ｂ、第１〜第４緑色光源Ｇ１〜Ｇ４）を制御する機能など全体的な処
理を行うための様々な機能を有する画像表示制御部６６０と、画像表示制御部６６０の制
御によって第１画像形成ユニット１００の光変調素子１５０Ｒ，１５０Ｇ１，１５０Ｇ２
及び第２画像形成ユニット２００の光変調素子２５０Ｂ，２５０Ｇ３，２５０Ｇ４を駆動
する光変調素子駆動部６５１Ｒ，６５１Ｇ１，６５１Ｇ２、６５１Ｂ，６５１Ｇ３，６５
１Ｇ４と、画像表示制御部６６０の制御によって各光源（赤色光源Ｒ、青色光源Ｂ、第１
〜第４緑色光源Ｇ１〜Ｇ４）を駆動する光源駆動部６７０とを有している。
【００４４】
なお、画像表示制御部６６０は、緑色光に対応する４つの光変調素子１５０Ｇ１，１５
０Ｇ２，２５０Ｇ３，２５０Ｇ４の駆動タイミングが所定時間だけずれるように光変調素
子の駆動タイミング制御を行う機能及び中間画像の生成などを行う機能をも有している。
【００４５】
図３は実施形態１に係るプロジェクタにおける光源の動作と光変調素子の駆動との関係
を説明する図である。図３（ａ）は光変調素子１５０Ｇ１に対応する第１緑色光源Ｇ１の
動作、図３（ｂ）は光変調素子１５０Ｇ２に対応する第２緑色光源Ｇ２の動作、図３（ｃ
）は光変調素子２５０Ｇ３に対応する第３緑色光源Ｇ３の動作、図３（ｄ）は光変調素子
２５０Ｇ４に対応する第４緑色光源Ｇ４の動作を示すものである。また、図３（ｅ）は光
変調素子１５０Ｒに対応する赤色光源Ｒの動作、図３（ｆ）は光変調素子２５０Ｂに対応
する青色光源Ｂの動作を示すものである。
【００４６】
なお、図３（ａ）〜（ｆ）において、灰色で示す領域は光源が点灯状態、白色で示す領
域は光源が消灯状態であることを示している。また、図３（ａ）〜（ｄ）において、緑色
光は５００ｎｍ〜５３２ｎｍの波長帯域を有する第１緑色光と５３３〜５６５ｎｍの波長
帯域を有する第２緑色光とを使用しているので、これらを濃い灰色（第１緑色光）と薄い
灰色（第２緑色光）とに分けて図示している。
【００４７】
図３（ａ）〜（ｄ）に示すように、実施形態１に係るプロジェクタにおいては、第１画
像形成ユニット１００の第１緑色光源Ｇ１及び第２緑色光源Ｇ２、第２画像形成ユニット
２００の第３緑色光源Ｇ３及び第４緑色光源Ｇ４は、それぞれ画像データの１フレームを
４分割した１／４フレームに対応する時間（これをΔｔ時間とする）経過ごとに順次点灯
し、その点灯状態が２／４フレームに対応する時間（２Δｔ時間）だけ継続する。したが
って、第１緑色光源Ｇ１、第２緑色光源Ｇ２、第３緑色光源Ｇ３及び第４緑色光源Ｇ４は
、２Δｔ時間の点灯状態において、第１緑色光を発光する緑色光源（第１緑色光源Ｇ１及
び第３緑色光源Ｇ３）と、第２緑色光を発光する緑色光源（第２緑色光源Ｇ２及び第４緑
色光源Ｇ４）とがΔｔ時間だけ重複して点灯する。
【００４８】
例えば、第２フレームＦ２についてみると、当該第２フレームＦ２を４等分した第１番
目の１／４フレームに対応する時間（Δｔ１時間とする）においては、第１緑色光源Ｇ１
と第４緑色光源Ｇ４とが同時に点灯し、第２番目の１／４フレームに対応する時間（Δｔ
２時間とする）においては、第１緑色光源Ｇ１と第２緑色光源Ｇ２とが同時に点灯する。
また、第３番目の１／４フレームに対応するΔｔ時間（Δｔ３時間とする）においては、
第２緑色光源Ｇ２と第３緑色光源Ｇ３とが同時に点灯し、第４番目の１／４フレームに対
応するΔｔ時間（Δｔ４時間とする）においては、第３緑色光源Ｇ３と第４緑色光源Ｇ４
とが同時に点灯する。
【００４９】
このように、第１緑色光を発光する緑色光源と第２緑色光を発光する緑色光源を同時に
点灯させるのは、人の目に緑色が２種類の緑色として視認されてしまうのを防止するため
である。すなわち、緑色光を２種類の緑色（第１緑色光と第２緑色光）とすることにより
、合成光学系として一般的なクロスダイクロイックプリズムの使用が可能となる反面、人
の目に緑色が２種類の緑色として視認されてしまう可能性があるので、それを防止するた
めに、第１緑色光を発光する緑色光源と第２緑色光を発光する緑色光源を同時に点灯させ
るようにしている。
【００５０】
また、図３（ｅ），（ｆ）は、赤色光源Ｒ及び青色光源Ｂの動作を示すもので、赤色光
源Ｒ及び青色光源Ｂは連続点灯を行う。なお、図３（ａ）〜（ｆ）に示すような光源の点
灯／消灯制御は画像表示制御部６６０が行う。すなわち、画像表示制御部６６０には各光
源に対する点灯／消灯のタイミングが設定されていて、その設定内容に基づいて光源駆動
部６７０が所定の光源を点灯または消灯させる。
【００５１】
また、図３（ｇ）〜（ｌ）は、各光変調素子の駆動時間を示すものであり、図３（ｇ）
は光変調素子１５０Ｇ１の駆動時間、図３（ｈ）は光変調素子１５０Ｇ２の駆動時間、図
３（ｉ）は光変調素子２５０Ｇ３の駆動時間、図３（ｊ）は光変調素子２５０Ｇ４の駆動
時間、図３（ｋ）は光変調素子１５０Ｒの駆動時間、図３（ｌ）は光変調素子２５０Ｂの
駆動時間を示すものであり、灰色で示した部分は各光変調素子が駆動されている時間を示
している。図３（ｇ）〜（ｌ）に示すような各光変調素子に対する駆動タイミング制御は
、画像表示制御部６６０によって行われる。すなわち、画像表示制御部６６０には各光変
調素子を駆動するため駆動タイミングが設定されていて、その設定内容に基づいて光変調
素子駆動部６５１Ｒ，６５１Ｂ、６５１Ｇ１〜６５１Ｇ４がそれぞれ対応する光変調素子
を駆動する。
【００５２】
図３（ｇ）〜（ｌ）に示すように、緑色光に対応する光変調素子１５０Ｇ１，１５０Ｇ
２及び光変調素子２５０Ｇ３，２５０Ｇ４は、第１〜第４緑色光源Ｇ１〜Ｇ４の点灯に対
応するように駆動される。このとき、第１〜第４緑色光源Ｇ１〜Ｇ４の点灯時間（２Δｔ
時間）の前後Δｔ時間をも含めた時間を駆動時間としている。このため、緑色光に対応す
る光変調素子１５０Ｇ１，１５０Ｇ２及び光変調素子２５０Ｇ３，２５０Ｇ４の駆動時間
は、この場合、４Δｔ時間（１フレームに対応する時間）であるが、これら各光変調素子
１５０Ｇ１，１５０Ｇ２及び光変調素子２５０Ｇ３，２５０Ｇ４で変調された各色光はそ
れぞれ２Δｔ時間だけ射出される。
【００５３】
このように、第１〜第４緑色光源Ｇ１〜Ｇ４の点灯時間（２Δｔ時間）の前後Δｔ時間
をも含めた時間を各光変調素子の駆動時間とするのは、光変調素子が液晶を用いた光変調
素子である場合、液晶の安定動作期間に光源を発光させるようにするためである。このよ
うな制御は、画像表示制御部６６０によって行われる。すなわち、画像表示制御部６６０
には、第１〜第４緑色光源Ｇ１〜Ｇ４がそれぞれ発光を開始する時間より前に、光変調素
子１５０Ｇ１，１５０Ｇ２及び光変調素子２５０Ｇ３，２５０Ｇ４が駆動を開始するよう
な設定がなされており、その設定内容に基づいて光変調素子駆動部６５１Ｇ１〜６５１Ｇ
４がそれぞれ対応する光変調素子１５０Ｇ１，１５０Ｇ２，２５０Ｇ３，２５０Ｇ４を制
御する。
【００５４】
実施形態１に係るプロジェクタを図１及び図２に示すような構成とし、かつ、光源と光
変調素子の駆動を図３に示すように行うことにより、緑色光に対応する画像データのフレ
ームレートを赤色光及び青色光に対応する画像データに対して４倍とすることができる。
【００５５】
なお、緑色光に対応する光変調素子１５０Ｇ１，１５０Ｇ２，２５０Ｇ３，２５０Ｇ４
のうち、光変調素子１５０Ｇ１に対しては画像データが元々有するフレームのうちの当該
フレーム（ｎ番目のフレームとする）を与えるものとすれば、他の光変調素子１５０Ｇ２
，２５０Ｇ３，２５０Ｇ４には、例えば、当該画像データのｎ番目のフレームとｎ＋１番
目のフレームとから生成された３つの中間画像を与えることが好ましい。この中間画像の
生成は、動きベクトルに基づいた中間画像の生成技術など、一般的に行われている各種の
中間画像生成技術を採用することができる。このような中間画像の生成処理は、画像表示
制御部６６０により行う。
【００５６】
以上、説明したように、実施形態１に係るプロジェクタによれば、緑色光に対応する画
像データのフレームレートを赤色光及び青色光に対応する画像データに対して４倍とする
ことができる。また、中間画像を生成する場合、中間画像の生成処理は、緑色について行
えばよいので、ＲＧＢの各色について行う場合に比べて、演算量を大幅に削減することが
できる。しかも、人間の目に最も敏感な緑色光に対応する画像データのフレームレートが
高くなることによって、動画の視認性の向上の効果をより高めることができる。
【００５７】
また、実施形態１に係るプロジェクタにおいては、緑色光を波長帯域の異なる２種類の
緑色光（第１緑色光、第２緑色光）としているので、合成光学系として一般的なクロスダ
イクロイックプリズムを使用することができる。なお、緑色光源を点灯させる際、第１緑
色光と第２緑色光とを同時に点灯させるようにしているので、人の目に緑色が２種類の緑
色として視認されてしまうのを防止することができる。
【００５８】
[実施形態２]
図４は実施形態２に係るプロジェクタの光学的な構成を模式的に示す図である。実施形
態２に係るプロジェクタも実施形態１に係るプロジェクタと同様、２系統の画像形成ユニ
ットと１つの投射光学系とを有するプロジェクタであるが、実施形態１に係るプロジェク
タの場合は、第１画像形成ユニット１００側の光源はすべて緑色光源（第１緑色光源Ｇ１
、第２緑色光源Ｇ２、第３緑色光源Ｇ３）とし、第２画像形成ユニット２００側の光源は
、通常のプロジェクタと同様、赤色光源Ｒ、緑色光源（第４緑色光源Ｇ４）、青色光源Ｂ
としている点が異なる。なお、実施形態２に係るプロジェクタにおいても光源はＬＥＤな
どの個体光源が好ましい。また、実施形態２に係るプロジェクタにおいては、各緑色光源
が発光する緑色光は約５００ｎｍ〜５６５ｎｍの波長帯域を有する単色の緑色光である。
【００５９】
このように、実施形態２に係るプロジェクタにおいては、第１画像形成ユニット１００
はすべて緑色光源であるので、第１画像形成ユニット１００に設けられる各光変調素子を
光変調素子１５０Ｇ１，１５０Ｇ２，１５０Ｇ３とする。また、第２画像形成ユニット２
００は、赤色光源Ｒ、第４緑色光源Ｇ４、青色光源Ｂであるので、第２画像形成ユニット
２００に設けられる各光変調素子を光変調素子２５０Ｒ，２５０Ｇ４，２５０Ｂとする。
【００６０】
また、実施形態２に係るプロジェクタは、第１画像形成ユニット１００側では、合成光
学系として、２枚のハーフミラー１７０ａ，１７０ｂをＸ字状に組み合わせた構成を有す
る合成光学系（合成光学系１７０とする）を用いる。これにより、第１画像形成ユニット
１００における第１緑色光源Ｇ１、第２緑色光源Ｇ２、第３緑色光源Ｇ３で変調されたそ
れぞれの色光は、ハーフミラー１７０ａ，１７０ｂで透過または反射されて射出される。
なお、各々のハーフミラーの透過率を５０％とすれば、第１緑色光源Ｇ１、第２緑色光源
Ｇ２、第３緑色光源Ｇ３から射出されるそれぞれの色光は、ハーフミラー１７０ａとハー
フミラー１７０ｂとを通過することとなるため、それぞれの光源の光量に対して２５％の
光量となる。
【００６１】
一方、第２画像形成ユニット２００側においては、光源から発せられる色光は、赤色光
、緑色光及び青色光であるので、合成光学系２６０としては、一般的なクロスダイクロイ
ックプリズムを用いることができる。
【００６２】
図５は実施形態２に係るプロジェクタの機能を説明するための構成図である。なお、図
５において、図２と同一部分には同一符号が付されている。実施形態２に係るプロジェク
タにおいては、第１画像形成ユニット１００における光変調素子は、緑色光に対応する光
変調素子１５０Ｇ１，１５０Ｇ２，１５０Ｇ３であり、第２画像形成ユニット２００にお
ける光変調素子は、赤色光、緑色光及び青色光に対応する光変調素子２５０Ｒ，２５０Ｇ
４，２５０Ｂである。また、光変調素子駆動部としては、図５に示すように、第１画像形
成ユニット１００においては光変調素子駆動部６５１Ｇ１，６５１Ｇ２，６５１Ｇ３が設
けられ、第２画像形成ユニット２００においては、光変調素子駆動部６５１Ｒ，６５１Ｇ
４，６５１Ｂが設けられている。
【００６３】
図６は実施形態２に係るプロジェクタにおける光源の動作と光変調素子の駆動との関係
を説明する図である。図６（ａ）は光変調素子１５０Ｇ１に対応する第１緑色光源Ｇ１の
動作、図６（ｂ）は光変調素子１５０Ｇ２に対応する第２緑色光源Ｇ２の動作、図６（ｃ
）は光変調素子１５０Ｇ３に対応する第３緑色光源Ｇ３の動作、図６（ｄ）は光変調素子
２５０Ｇ４に対応する第４緑色光源Ｇ４の動作、図６（ｅ）は光変調素子２５０Ｒに対応
する赤色光源Ｒの動作、図６（ｆ）は光変調素子２５０Ｂに対応する青色光源Ｂの動作を
示すものである。なお、図６（ａ）〜（ｆ）において、灰色で示す領域は光源が点灯状態
、白色で示す領域は光源が消灯状態であることを示している。
【００６４】
実施形態２に係るプロジェクタにおいては、第１画像形成ユニット１００の緑色光源Ｇ
１，Ｇ２，Ｇ３及び第２画像形成ユニット２００の緑色光源Ｇ４は、１／４フレームに対
応する時間（Δｔ時間）経過ごとに順次点灯し、その点灯状態はΔｔ時間だけ保持される
。このように、実施形態２に係るプロジェクタにおいては、緑色光は１種類であるので、
第１〜第４緑色光源Ｇ１〜Ｇ４は、Δｔ時間ごとにΔｔ時間だけ点灯状態を保持する動作
を順次繰り返すこととなる。
【００６５】
なお、図６（ａ）〜（ｆ）に示すような光源の点灯／消灯制御は、実施形態に係るプロ
ジェクタと同様、画像表示制御部６６０が光源駆動部６７０に対して行う。
【００６６】
また、図６（ｇ）は光変調素子１５０Ｇ１の駆動時間、図６（ｈ）は光変調素子１５０
Ｇ２の駆動時間、図６（ｉ）は光変調素子１５０Ｇ３の駆動時間、図６（ｊ）は光変調素
子２５０Ｇ４の駆動時間、図６（ｋ）は光変調素子２５０Ｒの駆動時間、図６（ｌ）は光
変調素子２５０Ｂの駆動時間を示すものであり、灰色で示した部分は各光変調素子が駆動
されている時間を示している。
【００６７】
図６（ｇ）〜（ｌ）においても図３（ｇ）〜（ｌ）と同様に、緑色光源Ｇ１，Ｇ２，Ｇ
３，Ｇ４の点灯時間（この場合はΔｔ時間）の前後Δｔ時間をも含めた時間を駆動時間と
している。このため、緑色光に対応する光変調素子１５０Ｇ１，１５０Ｇ２，１５０Ｇ３
及び光変調素子２５０Ｇ４の駆動時間は、この場合、３Δｔ時間となるが、光変調素子１
５０Ｇ１，１５０Ｇ２，１５０Ｇ３及び光変調素子２５０Ｇ４で変調された各色光はそれ
ぞれΔｔ時間だけ射出される。図６（ｇ）〜（ｌ）に示すような各光変調素子の駆動のタ
イミング制御は、実施形態に係るプロジェクタと同様、画像表示制御部６６０の設定内容
に基づいて、各光変調素子駆動部６５１Ｒ，６５１Ｂ，６５１Ｇ１〜６５１Ｇ４がそれぞ
れ対応する光変調素子を駆動することによって行われる。
【００６８】
実施形態２に係るプロジェクタを図４及び図５に示すような構成とし、かつ、光源と光
変調素子の駆動を図６に示すように行うことにより、緑色光に対応する画像データのフレ
ームレートを赤色光及び青色光に対応する画像データに対して４倍とすることができる。
【００６９】
なお、実施形態１に係るプロジェクタと同様、緑色光に対応する光変調素子１５０Ｇ１
，１５０Ｇ２，１５０Ｇ３、２５０Ｇ４のうち、光変調素子１５０Ｇ１に対しては画像デ
ータが元々有するｎ番目のフレームを与えるものとすれば、他の光変調素子１５０Ｇ２，
１５０Ｇ３、２５０Ｇ４には、当該画像データのｎ番目のフレームとｎ＋１番目のフレー
ムとから生成された３つの中間画像を与えることが好ましい。
【００７０】
以上、説明したように、実施形態２に係るプロジェクタにおいても実施形態１に係るプ
ロジェクタと同様、緑色光に対応する画像データのフレームレートを赤色光及び青色光に
対応する画像データの４倍のフレームレートとすることができ、これによって、動画像の
視認性を高くすることができる。また、中間画像を生成する処理は、緑色について行えば
よいので、ＲＧＢの各色について行う場合に比べて、演算量を大幅に削減することができ
る。しかも、人間の目に最も敏感な緑色に対応する画像データのフレームレートが高くな
ることにより、動画の視認性向上の効果をより高くすることができる。
【００７１】
また、実施形態２に係るプロジェクタの場合、図６からもわかるように、緑色光につい
ては、黒画像挿入と同様の効果が得られ、より滑らかな動きの画像表示を実現できるとい
った効果も期待できる。
【００７２】
なお、実施形態２に係るプロジェクタにおいては、第１画像形成ユニット１００におけ
る３つの光変調素子１５０Ｇ１〜１５０Ｇ３で変調された各色光を２つのハーフミラー１
７０ａ，１７０ｂを有する合成光学系１７０によって射出する場合を例示したが、実施形
態１に係るプロジェクタと同様に、緑色光を複数の波長帯域（実施形態２に係るプロジェ
クタにおいては３つの波長帯域）に分けた３種類の緑色光として、クロスダイクロイック
プリズムによって合成することも可能である。この場合、３種類の緑色光が生成されるの
で、人間の目に３種類の緑色として視認されるのを防ぐために、３種類の緑色光が同時に
光変調素子に与えられるようにすることが好ましい。
【００７３】
本発明は前述の各実施形態に限られるものではなく、本発明の要旨を逸脱しない範囲で
種々変形実施可能となるものである。たとえば、前述の各実施形態では、光源としてＬＥ
Ｄを使用した例を示したが、レーザ（半導体レーザ）などであってもよい。また、白色光
源から分光して得られたＲＧＢの各色光を、それぞれ対応する光変調素子に与えるように
してもよい。
【００７４】
また、前述の各実施形態では、液晶の安定動作期間に光源を発光させることが好ましい
という観点から、各光源の発光時間を含むその前後に１／４フレームに対応する時間分だ
け光変調素子の駆動時間を設定するようにしたが、前後ではなく各光源の発光開始の前側
のみに１／４フレームに対応する時間を設定するようにしてもよい。また、さらに余裕を
もたせるために、１／４フレームに対応する時間よりも長い時間を設定するようにしても
よい。
【００７５】
また、前述の各実施形態では、光変調素子として透過型の液晶パネルを用いた例を示し
たが、ＬＣＯＳなどの反射型の液晶パネルを用いることもできる。また、光変調素子は、
液晶を用いた光変調素子だけではなく、マイクロミラー型の光変調素子であってもよい。
【図面の簡単な説明】
【００７６】
【図１】実施形態１に係るプロジェクタの光学的な構成を模式的に示す図。
【図２】実施形態１に係るプロジェクタの機能を説明するための構成図。
【図３】実施形態１に係るプロジェクタにおける光源の動作と光変調素子の駆動との関係を説明する図。
【図４】実施形態２に係るプロジェクタの光学的な構成を模式的に示す図。
【図５】実施形態２に係るプロジェクタの機能を説明するための構成図。
【図６】実施形態２に係るプロジェクタにおける光源の動作と光変調素子の駆動との関係を説明する図。
【符号の説明】
【００７７】
１００・・・第１画像形成ユニット、１１０〜１３０・・・第１〜第３光源装置、１５
０Ｒ，１５０Ｇ１，１５０Ｇ２，１５０Ｇ３・・・光変調素子、１６０，２６０・・・合
成光学系（クロスダイクロイックプリズム）、１７０・・・合成光学系（ハーフミラーを
用いた合成光学系）、２５０Ｒ，２５０Ｂ，２５０Ｇ３，２５０Ｇ４・・・光変調素子、
２００・・・第２画像形成ユニット、２１０〜２３０・・・第４〜第６光源装置、３００
・・・偏光合成プリズム、４００・・・投射光学系、６６０・・・画像表示制御部、６５
１Ｒ，６５１Ｂ，６５１Ｇ１〜６５１Ｇ４・・・光変調素子駆動部、６７０・・・光源駆
動部、Ｇ１〜Ｇ４・・・第１〜第４緑色光源、Ｒ・・・赤色光源、Ｂ・・・青色光源
【図２】
2009162988.tif 000003
【図５】
2009162988.tif 000004
【図１】
2009162988.tif 000005
【図３】
2009162988.tif 000006
【図４】
2009162988.tif 000007
【図６】
2009162988.tif 000008